(57)【要約】【課題】  フィルターから除去した塵埃のフィルターへの再付着を防止する自動フィルター掃除ユニットを備えたショーケースを提供する【解決手段】  架台２内に設けられた凝縮器８の前面に配置され、左右方向に移動可能に設けられたフィルター１１と、フィルター１１が通過する位置に設けられた掃除ユニット２０とを備え、掃除ユニット２０は、フィルター１１に付着した塵埃を除去する回転ブラシ２６と、回転ブラシ２６に付着した塵埃を剥離する除塵部３６と、除塵部３６の基端部３６ｂに近接して設けられた開口部３７と、開口部３７に接続され、除塵部３６によって剥離された塵埃を吸引する吸引部２２とを備える。【選択図】図５
2013242103.tif 000002
【特許請求の範囲】
【請求項１】
ショーケース下部の架台内に設けられた凝縮器と、
前記凝縮器の前面に配置され、左右方向に移動可能に設けられたフィルターと、
移動する前記フィルターが通過する位置に設けられた掃除ユニットと、を備え、
前記掃除ユニットは、
通過する前記フィルターに当接する位置に設けられ、該フィルターに付着した塵埃を除去する回転ブラシと、
板状部材からなり、先端部が前記回転ブラシに接触する位置に設けられ、該回転ブラシに付着した塵埃を剥離する除塵部と、
前記除塵部の基端部に近接して設けられた開口部と、
前記開口部に接続され、前記除塵部によって剥離された塵埃を吸引する吸引部と、
を備えることを特徴とするショーケース。
【請求項２】
前記掃除ユニットの前記除塵部および前記開口部は、前記フィルターの移動方向に略直交する前記掃除ユニットの壁面に設けられていることを特徴とする請求項１記載のショーケース。
【請求項３】
前記掃除ユニットの前記除塵部は、断面視において前記基端部が前記開口部の開口幅の略中央に位置することを特徴とする請求項１又は請求項２記載のショーケース。
【請求項４】
前記掃除ユニットの前記開口部は、複数設けられていることを特徴とする請求項１〜３のいずれかに記載のショーケース。
【請求項５】
前記掃除ユニットの前記開口部は、前記除塵部の前記基端部に沿って長手方向に開口していることを特徴とする請求項１〜３のいずれかに記載のショーケース。
【請求項６】
前記掃除ユニットの前記除塵部の先端部は、櫛歯状に形成されていることを特徴とする請求項１〜５のいずれかに記載のショーケース。
【請求項７】
前記掃除ユニットの前記吸引部は、前記回転ブラシの駆動と連動して吸引動作を行うことを特徴とする請求項１〜６のいずれかに記載のショーケース。
【請求項８】
前記掃除ユニットの前記吸引部には、吸引した塵埃を溜める集塵容器が着脱可能に設けられていることを特徴とする請求項１〜７のいずれかに記載のショーケース。
【発明の詳細な説明】
【技術分野】
【０００１】
この発明は、冷凍機内蔵型ショーケースに関し、詳しくは、ショーケースの架台内に内蔵した冷凍機ユニットの凝縮器用フィルターに付着した塵埃を除去する掃除ユニットを備えたショーケースに関するものである。
【背景技術】
【０００２】
従来の冷凍機内蔵型ショーケースは、ショーケース下部の架台内部に冷凍機（圧縮機、凝縮器、送風機など）が配置されており、凝縮器の前面にはフィルターが着脱可能に設けられ、フィルターの前面には外気取り入れ孔を形成した通気孔カバーが取り付けられている。このようなショーケースではフィルターを掃除する場合、通気孔カバー及びフィルターを取り外す作業が発生する。この取り外し作業の作業性を向上させるために、通気孔カバーにフィルターを保持させるものが提案されている（例えば、特許文献１参照）。
【０００３】
しかし、作業者が定期的にフィルターを取り外して行う掃除は、作業に手間がかかり作業効率が悪かった。そして、フィルターの掃除を忘れてしまい、フィルターが目詰まりした場合には、冷却能力の低下や冷凍機の故障の原因につながるおそれがあった。そこで、吸引手段を設け、フィルターに付着した塵埃を自動的に吸引し、フィルターを取り外すことなくフィルターの掃除を行うものが提案されている。（例えば、特許文献２参照）
【先行技術文献】
【特許文献】
【０００４】
【特許文献１】特開２００４−２４５５６９号公報（請求項１、図１）
【特許文献２】特開２００９−１８０３９９号公報（請求項１、図３）
【発明の概要】
【発明が解決しようとする課題】
【０００５】
従来のショーケース（上記特許文献２）の吸引手段によるフィルター掃除では、フィルターを自動的に掃除することができるが、凝縮器からの湿気などによってフィルターに絡みつくように付着した塵埃に対しては、吸引力だけでは確実に除去することが困難であった。このような塵埃を除去するものとして、回転ブラシなどによって塵埃を掻き取り、回転ブラシに付着した塵埃を剥離させて除去するものが考えられる。
【０００６】
しかし、回転ブラシを使用するものの場合、回転ブラシから剥離した塵埃が回転ブラシ又はフィルターへ再付着するおそれがある。この再付着を防止するためには回転ブラシから剥離した塵埃を収容するスペースを別途設ければよいが、ショーケースの場合、このようなスペースをフィルターの手前に設けると架台が外方に拡大することになる。
【０００７】
架台が外方に拡大すると、使用者がショーケースに近づいたときに足のつま先をぶつけやすくなり安全性が低下するおそれがあり、また設置面積も大きくなるため望ましくない。このように、ショーケースでは安全性などを考慮すると、架台を外方に拡大させて塵埃を収容する十分なスペースを設けることができないため、回転ブラシ等で除去した塵埃のフィルターへの再付着を防止することが困難であった。
【０００８】
本発明は、上記のような課題を解決するためになされたもので、フィルターの表面に付着した塵埃だけでなく、湿気などによってフィルターに絡みつくように付着した塵埃も確実に除去すると共に、フィルターから除去した塵埃のフィルターへの再付着を防止する自動フィルター掃除ユニットを備えたショーケースを提供することを目的とする。
【課題を解決するための手段】
【０００９】
本発明に係るショーケースは、ショーケース下部の架台内に設けられた凝縮器と、凝縮器の前面に配置され、左右方向に移動可能に設けられたフィルターと、移動するフィルターが通過する位置に設けられた掃除ユニットと、を備え、掃除ユニットは、通過するフィルターに当接する位置に設けられ、フィルターに付着した塵埃を除去する回転ブラシと、板状部材からなり、先端部が回転ブラシに接触する位置に設けられ、回転ブラシに付着した塵埃を剥離する除塵部と、除塵部の基端部に近接して設けられた開口部と、開口部に接続され、除塵部によって剥離された塵埃を吸引する吸引部と、を備える。
【発明の効果】
【００１０】
本発明によれば、回転ブラシによってフィルターに付着した塵埃を確実に除去すると共に、吸引部が除塵部の基端部に近接して設けられた開口部を介して塵埃を吸引することにより、除塵部によって回転ブラシから剥離した塵埃が回転ブラシ周辺に溜まることなく吸引部に吸引される。つまり、回転ブラシから剥離した塵埃の回転ブラシ及びフィルターへの再付着を防止することができると共に、回転ブラシの近傍には塵埃を収容させるスペースが不要となるため、掃除ユニットを小型にすることができ、架台の外方への拡大を最小限に抑えることができる。また、これらフィルターの掃除は自動的に行われるため、フィルターを常に清潔な状態に保つことができる。
【図面の簡単な説明】
【００１１】
【図１】本発明の実施の形態１に係るショーケースの斜視図である。
【図２】図１に示すショーケースの架台の正面図である。
【図３】本発明の実施の形態１に係る掃除ユニットの本体部の斜視図であり、図３（ａ）は組立図、図３（ｂ）は分解立体図である。
【図４】本発明の実施の形態１に係る掃除ユニットのブラシカバーを裏面側から見た斜視図である。
【図５】本発明の実施の形態１に係る掃除ユニットによる塵埃除去の様子を示す断面図である。
【図６】本発明の実施の形態１に係る掃除ユニットの運転動作を示すフローチャートである。
【図７】本発明の実施の形態２に係る掃除ユニットによる塵埃除去の様子を示す断面図であり、図７（ａ）はフィルターが左方向へ移動しているときの断面図、図７（ｂ）はフィルターが右方向へ移動しているときの断面図である。
【図８】本発明の実施の形態１に係る掃除ユニットのブラシカバーの別形態を示す斜視図である。
【図９】本発明の実施の形態１に係る掃除ユニットのブラシカバーの別形態を示す斜視図である。
【発明を実施するための形態】
【００１２】
実施の形態１．
以下、本発明の実施の形態を図面に基づいて詳細に説明する。図１は実施の形態１に係るショーケースの斜視図である。図２は図１に示すショーケースの架台の正面図である。
【００１３】
図１に示すように、実施の形態１のショーケース１００は、上面を開口した箱型形状のケーシング１と、ケーシング１の下部に設けられ、ケーシング１内に供給する冷気を生成する冷媒回路を収容した架台２とで構成されている。ケーシング１は、食品などを陳列する陳列棚３と、冷媒回路で生成された冷気が吹き出される吹出口４と、吹出口４から吹き出された冷気が陳列棚３上方を通過後に吸い込まれる吸込口５と、陳列棚３を照らす蛍光灯６とを備えている。なお、吸込口５から吸い込まれた冷気は冷媒回路に戻され、再び吹出口４から吹き出される。
【００１４】
架台２の前面には着脱可能な点検蓋７が取り付けられており、架台２内には冷媒回路を構成する圧縮機（図示せず）、凝縮器８、蒸発器（図示せず）と、冷媒回路や蛍光灯などの制御を行う基板を収容した電装ボックス９とが配置されている。図１は点検蓋７を前方に取り外した状態を示しており、取り付けた状態において点検蓋７の凝縮器８に対向する箇所には、凝縮器８へ外気を供給するための複数の吸気口１０が形成されている。また、凝縮器８の後方には吸気口１０を介して外気を凝縮機８に供給する送風機（図示せず）が配置されている。
【００１５】
凝縮器８の前面、即ち点検蓋７の吸気口１０と凝縮器８の間には、凝縮器８に供給される外気に含まれる塵埃を捕集するフィルター１１が設けられている。フィルター１１は着脱可能に取り付けられていると共に、左右方向にスライド移動可能に設けられている。そして、架台２内におけるフィルター１１の側方にはフィルター１１に付着した塵埃を自動的に除去する掃除ユニット２０が設けられている。
【００１６】
架台２の後部には、電装ボックス９及び掃除ユニット２０へ商用電源を供給する電源コード１２が設けられている。
【００１７】
図２に示すように、掃除ユニット２０は、フィルター１１の側方に配置され、フィルター１１を左右方向に移動させると共に、フィルター１１に付着した塵埃の除去を行う本体部２１と、本体部２１で除去された塵埃を本体部２１から吸引する吸引部２２と、本体部２１及び吸引部２２の駆動を制御する制御部２３とを備えている。本体部２１と吸引部２２とは中空の吸引管２４で接続されており、本体部２１で除去された塵埃は吸引管２４内を通り吸引部２２へと移動する。
【００１８】
フィルター１１は、凝縮器８の前面を覆う大きさに形成され、通過する空気中の塵埃を捕集する網状のネット部１１ａと、ネット部１１ａの外周に一体に設けられ、ネット部１１ａを平面状に保持する枠部１１ｂとで構成されている。架台２の底部には、フィルター１１が左右方向に移動するときにガイドとなる溝部を有する断面略コの字状のレール１３が設けられている。フィルター１１は、レール１３の溝部に下端の枠部１１ｂを収納させて取り付けられ、左右方向に移動するときにはレール１３の溝部内壁に沿って移動する。また、フィルター１１の下端の枠部１１ｂには長手方向に沿ってラックギア（図示せず）が取り付けられている。
【００１９】
フィルター１１の右側方には、基点検知手段１４が設けられている。基点検知手段１４は、フィルター１１が基点位置（凝縮器８の前面を覆う位置）にあるかを検知するものであり、フィルター１１が基点位置にある場合には、フィルター基点出し検知信号を制御部２３へと送る。基点検知手段１４には、例えば有接点方式のリミットスイッチや、無接点方式のリードスイッチなどを使用する。
【００２０】
掃除ユニット２０の本体部２１は、フィルター１１の左側方に配置されており、フィルター１１の上下方向に略平行に延在する回転軸を有し、フィルター１１に付着した塵埃を除去する回転ブラシ２６と、回転ブラシ２６を回転駆動させるモータ２５と、フィルター１１の枠部１１ｂに取り付けられたラックギアと噛み合うラック歯車２７と、ラック歯車２７を回転駆動させるモータ２８とを備えている。モータ２５、２８は制御部２３によって駆動を制御される。モータ２８を駆動すると、ラック歯車２７によりラックギアが送られ、フィルター１１が横方向に移動する。
【００２１】
吸引部２２には、吸引した塵埃を集塵する集塵容器が設けられている。この集塵容器は吸引部２２に対して着脱可能に取り付けられており、集塵容器を取り外すことで集塵容器内に溜まった塵埃、即ちフィルター１１から除去した塵埃を容易に処分することができる。なお、吸引部２２には、集塵容器の有無を検出するセンサが設けられており、このセンサの検出信号は制御部２３へと送られる。
【００２２】
図３は実施の形態１に係る掃除ユニットの本体部の斜視図であり、図３（ａ）は組立図、図３（ｂ）は分解立体図である。図３に示すように、掃除ユニット２０の本体部２１は、回転ブラシ２６の前方に設けられ、回転ブラシ２６を覆うブラシカバー３０と、モータ２５の回転を回転ブラシ２６に伝達するギア３３が内設されたギアボックス３１と、回転ブラシ２６の後方に設けられ、モータ２５、２８を覆うモータカバー３２とで構成されている。ブラシカバー３０及びモータカバー３２は、それぞれギアボックス３１にネジで固定されている。フィルター１１は、図３（ａ）に矢印Ａで示すように、回転ブラシ２６とモータカバー３２の間を通過する。
【００２３】
回転ブラシ２６は、回転軸の端部２６ａ、２６ｂを除く表面にブラシ毛が複数本植毛された略円柱形状をしている。回転ブラシ２６は通過するフィルター１１にブラシ毛の先端部が当接する位置に取り付けられている。このような位置関係で回転ブラシ２６を設けることで、通過するフィルター１１に付着した塵埃をブラシ毛で掻き取り、掻き取った塵埃をブラシ毛間に捕集することができる。
【００２４】
ブラシカバー３０は、回転ブラシ２６を覆うように両側端部を回転ブラシ２６側に略直角に折り曲げた断面コの字形状をしており、回転ブラシ２６への外部からの塵埃の付着を防止するためのものである。ブラシカバー３０の正面側の面にはスリット３４が形成されており、スリット３４を介して回転ブラシ２６の状態を目視で確認することができる。また、ブラシカバー３０には、回転ブラシ２６の回転軸の下端部２６ａが挿入され、回転ブラシ２６を支持する軸受部３５が設けられている。なお、図３には４つの矩形状のスリット３４を形成したブラシカバー３０を示したが、スリット３４の数および形状はこれに限るものではなく、またスリット３４が形成されていないブラシカバーとしてもよい。
【００２５】
ギアボックス３１は、ギア３３とモータ２５とが取り付けられたギアボックス下３１ａと、ギアボックス下３１ａの上面に取り付けられ、ギア３３を覆うギアボックス上３１ｂとを備える。ギア３３の中心部には下方に延在するギアシャフト（図示せず）が設けられており、ギアシャフトの先端部は回転ブラシ２６の回転軸の上端部２６ｂに形成された孔に挿入される。これにより、モータ２５の回転がギア３３及びギアシャフトを介して回転ブラシ２６へと伝達される。
【００２６】
モータカバー３２は、ラック歯車２７とモータ２８とが取り付けられたモータカバー下３２ａと、モータカバー下３２ａが内側に取り付けられる断面略コの字形状のモータカバー前３２ｂと、モータカバー前３２ｂの後方側にモータ２８を覆うように取り付けられるモータカバー後３２ｃとを備える。モータカバー３２の上部にギアボックス３１が取り付けられると、ギアボックス３１に取り付けられたモータ２５がモータカバー３２内に収まるようになっている。
【００２７】
なお、ブラシカバー３０及びモータカバー３２の回転ブラシ２６対向面は、互いに略平行で且つ、回転ブラシ２６の回転軸の軸方向に対しても略平行となっている。このようにすることで、回転ブラシ２６周りのスペース、特に前後方向のスペースを最小限にすることができ、本体部２１を小型にすることができる。
【００２８】
図４は実施の形態１に係る掃除ユニットのブラシカバーを裏面側から見た斜視図である。図４に示すように、ブラシカバー３０の裏面側には、ブラシカバー３０の側壁３０ａから回転ブラシ２６の中心部に向かう方向に延在する板状の除塵部３６が設けられている。除塵部３６は、フィルター１１から掻き取られて回転ブラシ２６に付着した塵埃を回転ブラシ２６から剥離するためのものである。
【００２９】
除塵部３６は先端部３６ａが櫛歯状に形成され、先端部３６ａが回転ブラシ２６のブラシ毛に接触する位置に設けられている。また、除塵部３６の上下方向の長さは回転ブラシ２６の全長以上の長さとなっている。なお、除塵部３６の先端部３６ａは、図４に示す櫛歯形状に限定するものではなく、回転ブラシ２６に付着した塵埃を回転ブラシ２６から剥離することができる形状であればよい。
【００３０】
また、除塵部３６の下側には、除塵部３６の基端部３６ｂに近接して開口部３７が設けられ、開口部３７には図２で説明した吸引管２４の一端が接続されている。除塵部３６によって回転ブラシ２６から剥離された塵埃は、吸引部２２の吸引力によって開口部３７から吸引管２４内に吸引され、吸引部２２へ移動する。
【００３１】
図５は実施の形態１に係る掃除ユニットによる塵埃除去の様子を表す断面図である。なお、図５中に示す矢印Ｂはフィルター１１の移動方向、矢印Ｃは回転ブラシ２６の回転方向を表している。また、図５ではモータカバー３２を省略しているが、フィルター１１が掃除ユニット２０の本体部２１（回転ブラシ２６とモータカバー３２の間）を通過する様子を表している。
【００３２】
図５に示すように、回転ブラシ２６は、フィルター１１との接触部分においてフィルター１１の移動方向（矢印Ｂ）と逆方向となる回転方向（矢印Ｃ）に回転駆動される。これにより、塵埃の移動に逆らってブラシ毛が塵埃に接触するので、フィルター１１から塵埃を掻き取るようにして除去することができる。フィルター１１から掻き取られた塵埃は回転ブラシ２６のブラシ毛間に捕集される。
【００３３】
回転ブラシ２６のブラシ毛間に捕集された塵埃は、ブラシ毛が除塵部３６の先端部３６ａを撫でるようにして通過することで、除塵部３６の先端部３６ａによって回転ブラシ２６から剥離される。ここで、除塵部３６の先端部３６ａを櫛歯状に形成した場合、ブラシ毛の先端に付着した塵埃だけでなく、ブラシ毛間に埋もれた塵埃も櫛歯形状の凸部によって確実に剥離させることができ、効果的である。
【００３４】
除塵部３６によって回転ブラシ２６から剥離された塵埃は、自重によって下方に落下する。図４に示したように、除塵部３６の下側には、除塵部３６の基端部３６ｂに近接して開口部３７が設けられており、除塵部３６で剥離され落下した塵埃は、この開口部３７から吸引管２４内に吸引され、吸引部２２の集塵容器内に集塵される。
【００３５】
このように、除塵部３６の基端部３６ｂに近接して、塵埃を吸引する吸引口となる開口部３７を設けることで、剥離された塵埃を連続的に吸引することができる。また、塵埃が掃除ユニット２０の本体部２１内に溜まることがないため、塵埃の回転ブラシ２６又はフィルター１１への再付着を防止することができる。さらに、掃除ユニット２０の本体部２１内に塵埃を収容させるスペースを必要としないため掃除ユニット２０の本体部２１を小型にすることができる。
【００３６】
また、除塵部３６および開口部３７をフィルター１１の移動方向に略直交するブラシカバー３０の側壁３０ａに設けることで、吸引管２４をブラシカバー３０の側方に配置することができる。これにより、吸引管２４の接続による掃除ユニット２０の本体部２１の架台２外方（図５における下方向）への拡大を最小限に抑えることができ、掃除ユニット２０を小型にすることができる。
【００３７】
次に掃除ユニット２０のフィルター掃除運転動作の制御を説明する。図６は実施の形態１に係る掃除ユニットの運転動作を示すフローチャートである。なお、フィルター掃除運転は、自動と手動のどちらで開始するようにしてもよく、自動の場合は、例えば冷媒回路の冷却器のデフロスト運転に同期させて掃除運転を開始し、手動の場合は、例えば制御部２３に設けられた掃除ボタンを使用者が押すことで掃除運転を開始する。
【００３８】
フィルター１１の掃除運転が開始されると、まず制御部２３はモータ２８を駆動し、フィルター１１を右方向へ移動させて、フィルター１１の基点出しを行う（ステップＳ１）。この基点出しは、制御部２３に基点検知手段１４からフィルター基点出し検知信号が送られてくるまで行われる（ステップＳ２）。制御部２３は、基点検知手段１４から基点出し検知信号が送られてくると、基点出しが完了したと判断し、モータ２８の駆動を停止する（ステップＳ３）。
【００３９】
フィルター１１の基点出しが完了すると、制御部２３はモータ２５、モータ２８及び吸引部２２を駆動し、フィルター１１の掃除を開始する（ステップＳ４）。なお、このとき吸引部２２の集塵容器が取り外されていた場合は、モータ２５、モータ２８及び吸引部２２を駆動させずにエラー報知を行う。
【００４０】
モータ２５の駆動により回転ブラシ２６の回転が開始し、モータ２８の駆動によりフィルター１１の左方向への移動が開始し、吸引部２２の駆動により塵埃の吸引が開始される。図５に示したように、回転ブラシ２６は時計回りに回転し、フィルター１１から捕集した塵埃を除塵部３６に送る。そして、除塵部３６で回転ブラシ２６から塵埃を剥離させ、吸引部２２はこの剥離した塵埃を連続的に吸引する。
【００４１】
これらの駆動と同時に、制御部２３に内蔵されたタイマーのカウントが開始され、フィルター１１の移動開始から１５０秒が経過するまで、モータ２５、モータ２８及び吸引部２２の駆動を継続する（ステップＳ５）。フィルター１１の移動開始から１５０秒が経過すると、制御部２３はモータ２５、モータ２８の駆動を停止し、回転ブラシ２６とフィルター１１の動作が停止される（ステップＳ６）。このとき、吸引部２２の駆動は継続され、塵埃の吸引をし続ける。
【００４２】
なお、フィルター１１の移動開始から停止までの時間を１５０秒としているが、これに限定するものではなく、フィルター１１のネット部１１ａ全体が回転ブラシを通過するまでの時間とすればよい。また、時間ではなく、フィルター１１の移動完了を検出するセンサなどの終点検知手段を別途設け、この終点検知手段から送られる検出信号によって、フィルター１１の移動を停止させるようにしてもよい。
【００４３】
フィルター１１の左方向への移動が完了すると、完了から０．５秒間は停止状態を維持する（ステップＳ７）。その後、制御部２３は逆方向へモータ２８を駆動し、フィルター１１の右方向への移動が開始される（ステップＳ８）。フィルター１１の右方向への移動は、制御部２３に基点検知手段１４からフィルター基点出し検知信号が送られてくるまで行われる（ステップＳ９）。
【００４４】
このとき、モータ２５は駆動していないので、回転ブラシ２６はフリー状態となっており、右方向に移動するフィルター１１に追従して時計回り方向（矢印Ｃ）の回転を行う。これにより、フィルター１１に小さな塵埃が残っていた場合には、フィルター１１が基点位置に戻るときに、これら塵埃を回転ブラシ２６に付着させて同様に吸引部２２で吸引することができるので、フィルター１１をより清潔にすることができる。
【００４５】
制御部２３は、基点検知手段１４から基点出し検知信号が送られてくると、フィルター１１が基点まで移動したと判断し、モータ２８と吸引部２２の駆動を停止する（ステップＳ１０）。このように、一連の動作を自動的に行い、フィルター掃除運転が終了する。
【００４６】
このように、実施の形態１に係るショーケース１００では、フィルター１１の掃除が自動的に行われるため、フィルター１１を常に清潔な状態に保つことができる。また、フィルター掃除運転において、回転ブラシ２６の動作に連動して吸引部２２が駆動し、回転ブラシ２６から剥離した塵埃が掃除ユニット２０の本体部２１の外に排出されるため、剥離した塵埃のフィルター１１への再付着を防止すると共に、掃除ユニット２０の本体部２１には塵埃を収容させるスペースが不要となり、掃除ユニット２０を小型にすることができる。
【００４７】
実施の形態２．
実施の形態２に係るショーケースでは、掃除ユニットの本体部に設けられた除塵部を吸引管が接続される開口部の略中央に配置させた。このような構成の掃除ユニットを用いることにより、回転ブラシの右回転、左回転のどちらにおいても、回転ブラシから剥離した塵埃を吸引部で吸引することが可能となる。これにより、フィルターの左方向への移動のときだけでなく、右方向への移動のときにも回転ブラシで塵埃を掻き取ることができ、清掃性が向上する。以下、この掃除ユニットを備えたショーケースについて説明する。
【００４８】
図７は実施の形態２に係る掃除ユニットによる塵埃除去の様子を示す断面図であり、図７（ａ）はフィルターが左方向へ移動しているときの断面図、図７（ｂ）はフィルターが右方向へ移動しているときの断面図である。なお、図５と同じ構成には同一符号を付して説明を省略する。また、ショーケース１００の架台２内におけるフィルター１１、掃除ユニット２０（本体部２１、吸引部２２、制御部２３及び吸引管２４）の配置箇所は図２と同じであるため説明を省略する。
【００４９】
図７中に示す矢印Ｂ、Ｄはフィルター１１の移動方向、矢印Ｃ、Ｆは回転ブラシ２６の回転方向を表している。また、図７はフィルター１１が掃除ユニット２０の本体部２１（回転ブラシ２６とモータカバー３２の間）を通過する様子を表しており、図５と同様にモータカバー３２を省略している。
【００５０】
図７に示すように、実施の形態２に係る掃除ユニット２０の本体部２１には、断面で見たときに基端部３８ｂが開口部３７の開口幅の略中央に位置するように除塵部３８が設けられている。除塵部３８は、板状形状をしており、先端部３８ａは回転ブラシ２６のブラシ毛に接触している。なお、実施の形態１と同様に先端部３８ａを櫛歯状に形成してもよい。
【００５１】
図７に示すように、フィルター１１が左方向（矢印Ｂ）に移動するときには、回転ブラシ２６はフィルター１１との接触部分においてフィルター１１の移動方向と逆方向となる回転方向（矢印Ｃ）に回転駆動される。そして、フィルター１１が右方向（矢印Ｄ）に移動するときには、逆の回転方向（矢印Ｆ）に回転駆動される。これにより、フィルター１１の左右方向どちらの移動の場合にも、塵埃の移動に逆らってブラシ毛を塵埃に接触させて塵埃を掻き取ることができる。
【００５２】
そして、回転ブラシ２６のブラシ毛間に捕集された塵埃は、除塵部３８の先端部３８ａを通過するときに回転ブラシ２６から剥離される。除塵部３８の基端部３８ｂが開口部３７の略中央に位置しているため、回転ブラシ２６のどちらの回転方向の場合にも、除塵部３８で剥離された塵埃は、除塵部３８に邪魔されることなく開口部３７を介して吸引部２２に吸引される。このように、フィルター１１の１往復の移動の間に、フィルター１１の移動方向に逆らう方向に回転した回転ブラシ２６で２回フィルター１１の掃除が行われることになるので、掃除ユニット２０の清掃効率を向上させることができる。
【００５３】
また、図７（ａ）に示すように、小さな塵埃やフィルター１１に強く付着した塵埃などは、フィルター１１の左方向への移動のときに回転ブラシ２６で捕集できない場合がある。このような場合にも、図７（ｂ）に示すように、右方向への移動のときに、図７（ａ）のときとは逆方向に回転させた回転ブラシ２６で掻き取ることで、これら塵埃を確実に捕集することができ、掃除ユニット２０の清掃性を向上させることができる。
【００５４】
次に、実施の形態１、２に係る掃除ユニットのブラシカバーの別形態について説明する。図８、９は実施の形態１に係る掃除ユニットのブラシカバーの別形態を示す斜視図である。なお、図８、９は図４と同様にブラシカバーを裏面側から見た斜視図であり、図４と同じ構成には同一符号を付して説明を省略する。
【００５５】
図８に示すように、ブラシカバー３０ａには除塵部３６の基端部３６ｂに近接して３つの開口部３７ａ〜３７ｃが設けられ、各開口部３７ａ〜３７ｃには、それぞれ吸引管２４ａ〜２４ｃの一端が接続されている。３本の吸引管２４ａ〜２４ｃは、途中で一本の管となり吸引部２２に接続されている。
【００５６】
除塵部３６の上部、中央部、下部にそれぞれ対応した３つの開口部３７ａ〜３７ｃを設けることで、除塵部３６の上部、中央部、下部のそれぞれの位置で剥離された塵埃を、その位置に近い開口部３７ａ〜３７ｃでそれぞれ吸引させることが可能となり、塵埃の吸引効率を高めることができる。具体的には、除塵部３６の上部で剥離した塵埃は開口部３７ａから吸引管２４ａ内に吸引され、除塵部３６の中央部で剥離した塵埃は開口部３７ｂから吸引管２４ｂ内に吸引され、除塵部３６の下部で剥離した塵埃は開口部３７ｃから吸引管２４ｃ内に吸引される。
【００５７】
さらに別形態として、図９に示すように、ブラシカバー３０ｂには除塵部３６の基端部３６ｂに沿って開口した開口部３７ｄと、開口部３７ｄ全体を覆う吸引カバー３９とが設けられている。吸引カバー３９には一端が吸引部２２に接続された吸引管２４ｄの他端が接続されている。開口部３７ｄを通過した塵埃は吸引カバー３９内を通り、吸引管２４ｄ内に吸引される。
【００５８】
このように、除塵部３６の基端部３６ｂの長手方向全体に近接して開口部３７ｄを設けることで、除塵部３６の基端部３６ｂ全体に対して均一な吸引力を発生させることが可能となり、除塵部３６で剥離した塵埃をより効率的に吸引することができる。
【００５９】
なお、図８、９で示したブラシカバー３０ａ、３０ｂの構成は、実施の形態２のブラシカバー３０にも適用することができ、同様の効果を奏する。実施の形態２のブラシカバー３０に適用した場合には、図７に示したように、断面で見たときに基端部３８ｂが開口部３７ａ〜３７ｄの開口幅の略中央に位置するように除塵部３８が設けられている。
【符号の説明】
【００６０】
１  ケーシング、２  架台、３  陳列棚、４  吹出口、５  吸込口、６  蛍光灯、７  点検蓋、８  凝縮器、９  電装ボックス、１０  吸気口、１１  フィルター、１２  電源コード、１３  レール、１４  基点検知手段、２０  掃除ユニット、２１  本体部、２２  吸引部、２３  制御部、２４  吸引管、２５  モータ、２６  回転ブラシ、２７  ラック歯車、２８  モータ、３０  ブラシカバー、３１  ギアボックス、３２  モータカバー、３３  ギア、３４  スリット、３５  軸受部、３６  除塵部、３７  開口部、３８  除塵部、３９  吸引カバー、１００  ショーケース。
【図１】
2013242103.tif 000003
【図２】
2013242103.tif 000004
【図３】
2013242103.tif 000005
【図４】
2013242103.tif 000006
【図５】
2013242103.tif 000007
【図６】
2013242103.tif 000008
【図７】
2013242103.tif 000009
【図８】
2013242103.tif 000010
【図９】
2013242103.tif 000011